(57)【要約】【課題】外部機器との接続ができない状態でも一冊一冊異なるサイズの冊子の断裁が可能になるとともに、データ参照先の切替えを手動で行う必要がなく、さらに、他の用途に使用するためのデータに断裁用データを付加することが可能な三方断裁機を提供する。【解決手段】冊子フィーダーのテーブル２が上昇し、最上部の冊子１に印刷されたバーコードがバーコードリーダ３によって読み取られ、前回の冊子と断裁する寸法データが異なっている場合には、制御部７によって、回転・断裁部５による冊子の断裁位置が変更されてセット替えが行われる。この際、読み取ったバーコードの＊の後の１桁目によりデータ種別を判別し、制御部内７に記憶されている断裁寸法データ、パソコン８に記憶されている断裁寸法データ、あるいは、バーコード自体が表している断裁寸法データのいずれかを選択する。【選択図】図１
2013018084.tif 000002
【特許請求の範囲】
【請求項１】
冊子を搬送する搬送路と、上記搬送路上に設けられ、冊子上に印刷された情報を読み取る情報読取手段と、識別コードに対応した冊子の断裁寸法データを記憶する記憶手段と、冊子の断裁位置を制御する制御手段とを備えた三方断裁機であって、
上記制御手段が、冊子に印刷された情報を読み取り、読み取った情報の表す識別コードに対応した断裁寸法データを上記記憶手段から読み出し、この断裁寸法データに基づいて冊子の断裁位置を制御することを特徴とする三方断裁機。
【請求項２】
請求項１に係る発明の三方断裁機において、上記制御手段が、冊子に印刷された情報のデータ種別を判別し、判別したデータ種別に応じてデータ参照先の切り替えを行うことを特徴とする三方断裁機。
【請求項３】
請求項１に係る発明の三方断裁機において、上記情報読取手段で読み取る情報の内、断裁で使用するデータ領域を入力する入力手段を備え、上記制御手段が、上記入力手段から入力されたデータ領域に対応した領域の情報を解析し、解析した情報に基づいて冊子の断裁位置を制御することを特徴とする三方断裁機。
【発明の詳細な説明】
【技術分野】
【０００１】
本発明は製本などに使用する三方断裁機、特に、冊子に印刷された寸法データに基づいてセット替えを行って冊子を断裁する三方断裁機に関する。
【背景技術】
【０００２】
例えば本身（本の中身）の背面にホットメルト糊を塗布して表紙を貼り付けた冊子を次々と作製して排出する製本機はよく知られている。このような製本機で製本された冊子は、その冊子の天地及び小口の三方を断裁して体裁を整えることが行われる場合がある。
【０００３】
一方、用紙裁断装置において、用紙に裁断寸法の情報を表すバーコードを印刷しておき、このバーコードを読み取った情報に基づいて裁断装置を制御することにより、用紙に応じて所望の寸法に裁断できるようにすることが提案されている（例えば、特許文献１参照）。
【０００４】
上記のような三方断裁機でも、冊子に断裁寸法を表すバーコードを印刷しておき、この断裁寸法バーコードを読み取った情報に基づいて三方断裁機のセット替えを行うことにより、一冊一冊異なるサイズの断裁が可能になる。
また、冊子に断裁する寸法データに対応した識別コードを印刷しておき、読み取った識別コードに基づいてパソコン等の外部機器から断裁寸法データを読み出して三方断裁機のセット替えを行うことも可能である。
【先行技術文献】
【特許文献】
【０００５】
【特許文献１】特開２００１−２３２７００号公報
【発明の概要】
【発明が解決しようとする課題】
【０００６】
冊子に印刷された断裁寸法を表すバーコードに基づいて三方断裁機のセット替えを行うようにした場合、三方断裁機に必要な断裁寸法データをバーコードとして全て印字するとバーコード幅が非常に長くなるため、実用的ではない。
一方、冊子を断裁する寸法データに対応した識別コードを表すバーコードをパソコン等の外部機器で読み取り、外部機器から読み取った識別コードに対応した冊子の断裁寸法データを三方断裁機に送って三方断裁機のセット替えを行えば、バーコード幅を短くすることはできるが、パソコン等の外部機器と未接続状態で一冊一冊異なるサイズの断裁を行う場合には、毎回寸法をパネルで入力して行う必要があるという問題が生じる。
【０００７】
また、バーコードを利用して三方断裁機のセット替えを行う場合に、冊子の断裁寸法データを表すバーコードと、冊子の断裁寸法データに対応した識別コードを表すバーコードの両方を使用する場合、バーコードの示すデータが冊子の断裁寸法データを表すバーコードか、冊子の断裁寸法データに対応した識別コードを表すバーコードであるかのデータ種別を行うことができないために、予めデータ種別の指定が必要となるという問題も生じる。
さらに、冊子の断裁寸法データを表すバーコード、あるいは、冊子の断裁寸法データに対応した識別コードを表すバーコードを使用する場合、断裁用としてバーコードを専用で用意する必要も生じる。
【０００８】
本発明は、上記の問題に鑑みてなされたもので、外部機器との接続ができない状態でも一冊一冊異なるサイズの冊子の断裁が可能になるとともに、データ参照先の切替えを手動で行う必要がなく、さらに、他の用途に使用するためのデータに断裁用データを付加することが可能な三方断裁機を提供することを目的とする。
【課題を解決するための手段】
【０００９】
請求項１に係る発明の三方断裁機は、冊子を搬送する搬送路と、上記搬送路上に設けられ、冊子上に印刷された情報を読み取る情報読取手段と、識別コードに対応した冊子の断裁寸法データを記憶する記憶手段と、冊子の断裁位置を制御する制御手段とを備えた三方断裁機であって、上記制御手段が、冊子に印刷された情報を読み取り、読み取った情報の表す識別コードに対応した断裁寸法データを上記記憶手段から読み出し、この断裁寸法データに基づいて冊子の断裁位置を制御することを特徴とする。
【００１０】
また、請求項２に係る発明の三方断裁機は、請求項１に係る発明の三方断裁機において、上記制御手段が、冊子に印刷された情報のデータ種別を判別し、判別したデータ種別に応じてデータ参照先の切り替えを行うことを特徴とする。
【００１１】
さらに、請求項３に係る発明の三方断裁機は、請求項１に係る発明の三方断裁機において、上記情報読取手段で読み取る情報の内、断裁で使用するデータ領域を入力する入力手段を備え、上記制御手段が、上記入力手段から入力されたデータ領域に対応した領域の情報を解析し、解析した情報に基づいて冊子の断裁位置を制御することを特徴とする。
【発明の効果】
【００１２】
請求項１に係る発明の三方断裁機によれば、制御手段が、冊子に印刷された情報の表す識別コードに基づいて記憶手段から断裁寸法データを読み出し、この断裁寸法データに基づいて冊子の断裁位置を制御するので、冊子に印刷された情報の表す識別コードにより機械が持つジョブデータの読み出しが可能となり、情報の量を少なく、例えば、バーコードを短くできるとともに、外部機器との接続ができない状態でも一冊一冊異なるサイズの断裁が可能となる。
【００１３】
また、請求項２に係る発明の三方断裁機によれば、制御手段が冊子に印刷された情報のデータ種別を判別し、データ参照先の切り替えを行うので、データの参照先の切り替えを手動で行うことなく、一冊一冊異なるサイズの断裁が可能となり、さらに、請求項３に係る発明の三方断裁機によれば、情報読取手段で読み取る情報の内、断裁で使用するデータ領域を指定することができるので、他の用途に使用するためのバーコードに断裁用データを付加することが可能になり、断裁用にバーコード等の情報を専用で用意する必要がなくなる。
【図面の簡単な説明】
【００１４】
【図１】本発明を適用した三方断裁機の構成を示す図である。
【図２】冊子搬送部と回転・断裁部の詳細な構造を示す図である。
【図３】冊子に付与されるバーコードの一例を示す図である。
【図４】三方断裁機の制御機構を示すブロック図である。
【図５】操作パネルに表示される動作設定画面の一例である。
【図６】操作パネルに表示される桁数入力画面の一例である。
【図７】三方断裁機による冊子断裁時の作用を示すフローチャートである。
【実施例】
【００１５】
以下、本発明の三方断裁機を、一枚の断裁刃物で冊子の三辺を仕上げる三方断裁機に適用した実施例について説明する。
この三方断裁機は、一つの断裁刃物と回転テーブルを備え、断裁する冊子を回転テーブルに載置し、回転テーブルを９０度ずつ回転して冊子の天部、地部及び小口部の三方を順次断裁刃物の下方に位置させて、冊子の天部、地部及び小口部の三方を順次断裁する。
【００１６】
図１は上記の三方断裁機の構成を示す図であり、１は断裁される冊子、２は断裁前の冊子を積む冊子フィーダーの上下動可能なテーブルであり、３は冊子１に印刷されたバーコードを読み取るバーコードリーダである。４は冊子１を搬送する冊子搬送部、５は回転テーブル及び断裁刃物５ａを備えた回転・断裁部であり、６は断裁された冊子１を積むための上下動可能なスタッカーである。また、７はバーコードリーダ３からのバーコード読取信号が送られる三方断裁機の制御部であり、８はバーコード読取信号が送られる外部のパソコンであり、このパソコン８からバーコード読取信号に応じた冊子の断裁寸法データが制御部７に送られる。
【００１７】
図２は冊子搬送部４、回転・断裁部５の詳細構造を示す図であり、冊子搬送部４はチャック４ａ、モータ４ｂ、及び、冊子１の搬入部から以下で説明する回転テーブル５ｇまで直線往復移動するベルト４ｃによって構成され、チャック４ａは回転テーブル５ｇの回転中心と対向し、ベルト４ｃに固定され、搬入部に搬入された冊子１を挟持して回転テーブル５ｇ上に、冊子１の搬送方向の長さの中央部が回転テーブル５ｇの回転中心位置に到達するまで搬送する。
【００１８】
断裁刃物機構は、断裁刃物５ａ、押圧板５ｂ、これらを上下に駆動する油圧シリンダ（図示せず）、断裁定木５ｃなどを一つの機械保持枠５ｄに装着して構成され、機械保持枠５ｄは送りネジ５ｅを介してモータ５ｆに連結されている。このモータ５ｆの回転により送りネジ５ｅが回転して断裁刃物機構は回転テーブル５ｇに接近および離間する方向に移動する。
【００１９】
回転テーブル５ｇは冊子１の天部、地部及び小口部の周縁がはみ出るＬ字状の金属板で構成され、Ｌ字状の一片を回転テーブルの本体とし、折れ曲って立ち上がる他の一片を載置する冊子１の背面に当接して位置決めする位置決め板とし、本体の裏面の中央位置に回転駆動軸（図示せず）が固定されている。そして、回転駆動軸と対向する上方に回転テーブルの本体上の冊子１を該本体に押圧固定する押圧板５ｈが回転自在に配置されている。
【００２０】
上記の三方断裁機において、冊子１の断裁が行われる場合には、冊子フィーダーのテーブル２が上昇し、最上部の冊子１に印刷されたバーコードがバーコードリーダ３によって読み取られた後、最上部の冊子１がエアー式の給冊装置（図示せず）によって装置内に取り込まれる。そして、読み取ったバーコードを判別し、前回の冊子と断裁する寸法データが異なっている場合には、制御部７によって、回転・断裁部５による冊子の断裁位置が変更されてセット替えが行われる。
【００２１】
装置内に取り込まれた冊子１はチャック４ａによって回転テーブル５ｇの位置まで搬送され、突き揃えガイド（図示せず）によって冊子の端部が突き揃えられた後、押圧板５ｈが下降して冊子１がクランプされる。次に、回転テーブル５ｇが９０度回転した後、断裁刃物機構が断裁位置に移動し、断裁刃物５ａにより冊子１の地部が断裁される。次に、断裁刃物機構が移動した後、回転テーブル５ｇがさらに９０度回転し、再び断裁刃物機構が断裁位置に移動して断裁刃物５ａにより冊子１の小口部が断裁される。同様にして、断裁刃物機構が移動した後、回転テーブル５ｇが再び９０度回転し、断裁刃物機構が再び断裁位置に移動して断裁刃物５ａにより冊子１の天部が断裁される。
【００２２】
三辺が断裁された冊子１は、回転テーブル５ｇがさらに９０度回転した後、他のチャック（図示せず）によりスタッカー６の位置まで搬送されてスタッカー６に積まれ、この後、スタッカー６が冊子１の厚み分だけ下降し、次の冊子の搬送に備える。
【００２３】
一方、上記のように冊子１にはバーコードリーダ３により読み取られるバーコードが印刷されているが、このバーコードは冊子の断裁寸法データあるいは冊子を断裁する寸法データに応じた識別コードであり、冊子の断裁される部分、例えば冊子の天部あるいは地部の断裁される部分に印刷しておくことが好適である。
【００２４】
図３は冊子に印刷されるバーコードの一例であり、図３（ａ）は、断裁寸法データを表すバーコードであり、領域Ａが断裁前天地サイズ、領域Ｂが断裁前小口サイズ、領域Ｃが断裁後天地サイズ、領域Ｄが断裁後小口サイズ、領域Ｅが切り代、領域Ｆが冊子厚み、領域Ｇが積み冊数を示している。
また、図３（ｂ）は機械、すなわち制御部７が記憶しているジョブデータを表すバーコードであり、「ジョブメモリ識別コード［Ｍ］＋メモリ番号」により構成されている。さらに、図３（ｃ）は外部機器、例えばパソコン８が記憶しているデータを表すバーコードであり、「外部機器識別コード［ＩＤ］＋データ番号」により構成されている。したがって、＊の後の１桁目により、データ種別を判別することができる。
【００２５】
また、図４は三方断裁機の駆動機構を示すブロック図であり、制御部７、冊子搬送部駆動機構９、回転・断裁部駆動機構１０、テーブル駆動機構１１、スタッカー駆動機構１２、操作パネル１３等により構成されている。制御部７は、ＣＰＵ７１、ＲＯＭ（Read Only Memory）７２、ＲＡＭ（Random Access Memory）７３を備え、ＣＰＵ７１は三方断裁機の各機構を制御するとともに、ＲＯＭ（Read Only Memory）７２に記憶されたプログラムに基づいて各種のプログラムを実行する。ＲＯＭ７２は三方断裁機の動作に必要な種々のプログラム及び機械のジョブデータを表す識別コードに対応した断裁寸法データ等を予め記憶している。また、ＲＡＭ（Random Access Memory）７３はＳＲＡＭ（Static Random
Access Memory）等で構成され、プログラムの実行時に発生する一時的なデータを記憶する。
【００２６】
この制御部７には、バーコードリーダ３、パソコン８からのデータが入力されるとともに、三方断裁機の操作パネル１３からの設定情報も入力される。そして、制御部７は入力された情報に基づいて回転・断裁部５のセット替えを行う。
【００２７】
図５は、冊子の断裁にバーコードを使用する場合の操作パネル１３の操作画面の一例であり、図５の「断裁」の「動作設定」画面でバーコードを使用するか否かのオン、オフ設定、及び、断裁で使用するバーコードのコード読取開始位置を設定することができる。バーコードのコード読取開始位置を設定する場合、画面の桁の位置のボタンを押下することにより、図６に示す桁数入力の計算画面が表示されるので、この画面で数値を入力した後、「=/E」ボタンを押下することによりバーコードのコード読取開始位置を設定することができ、設定されたコード読取開始位置は図５の操作画面の桁欄に表示される。
【００２８】
次に、バーコードを読み取って冊子の断裁を行う場合のＣＰＵ７１の作用を図７のフローチャートにより説明する。
三方断裁機による冊子の断裁を開始すると、ＣＰＵ７１は、テーブル駆動機構１１を制御してテーブル２を上昇させた（ステップ１０１）後、最上部の冊子１のバーコードをバーコードリーダ３により読み取るとともに、テーブル２に載置された冊子の最上部の冊子１をエアー式の給冊装置によって装置内に取り込む（ステップ１０２）。
【００２９】
次に、ＣＰＵ７１は、読み取ったバーコードが前回の冊子断裁時に読み取ったバーコードと同じか否かを判定する（ステップ１０３）。読み取ったバーコードが前回の冊子断裁時に読み取ったバーコードと異なると判定した場合、ＣＰＵ７１は、断裁で使用するバーコードのデータ領域の指定があるかないかを判定し（ステップ１０４）、断裁で使用するバーコードのデータ領域の指定がある場合、指定された桁からのバーコード情報を解析する（ステップ１０５）。一方、断裁で使用するバーコードのデータ領域の指定がない場合、ＣＰＵ７１は、バーコードの１桁目からバーコードの情報を解析する（ステップ１０６）。
【００３０】
バーコード情報を解析した後、ＣＰＵ７１は、バーコードの指定された桁または１桁目が「Ｍ」か否かを判定することにより、バーコードが機械のジョブデータを表すバーコードか否かを判別し（ステップ１０７）、バーコードが機械のジョブデータを表すバーコードであると判別した場合、ＲＯＭ７２からバーコードの示すメモリ番号の断裁寸法データを読み出し、ＲＡＭ７３に記憶する（ステップ１０８）。
【００３１】
一方、ステップ１０７でバーコードが機械のジョブデータを表すバーコードでないと判別した場合、ＣＰＵ７１は、バーコードの指定された桁または１桁目が「Ｉ」か否かを判定することにより、バーコードが外部機器に記憶されたジョブデータを表すバーコードか否かを判別し（ステップ１０９）、バーコードが外部機器のジョブデータを表すバーコードであると判別した場合、外部のパソコン８からバーコードの示すデータ番号の断裁寸法データを読み出し、ＲＡＭ７３に記憶する（ステップ１１０）。
【００３２】
そして、ステップ１０９でバーコードが外部機器に記憶されたジョブデータを表すバーコードでないと判別した場合、ＣＰＵ７１は、バーコードデータを断裁寸法データ、すなわち、断裁前天地サイズ、断裁前小口サイズ、断裁後天地サイズ、断裁後小口サイズ、切り代、冊子厚み、積み冊数に変換してＲＡＭ７３に記憶する（ステップ１１１）。
【００３３】
この後、ＣＰＵ７１は、ＲＡＭ７３に記憶された断裁寸法データに基づいて回転・断裁部５による冊子の断裁位置を変更して、セット替えを行った（ステップ１１２）後、冊子搬送部駆動機構９、回転・断裁部駆動機構１０を制御して冊子１をチャック４ａにより回転テーブル５ｇに搬送し、冊子１の断裁を実行する（ステップ１１３）。なお、ステップ１０３で読み取ったバーコードが前回の冊子断裁時に読み取ったバーコードと同じであると判定した場合、ＣＰＵ７１は、セット替えを行うことなく、冊子１の搬送、断裁を実行する（ステップ１１３）。
【００３４】
この断裁実行時には、上記したように、回転テーブル５ｇの位置まで搬送された冊子１は、突き揃えガイドによって冊子１の端部が突き揃えられた後、押圧板５ｈが下降して冊子１がクランプされる。次に、回転テーブル５ｇが９０度回転した後、断裁刃物機構が断裁位置に移動し、断裁刃物５ａにより冊子１の地部が断裁される。次に、断裁刃物機構が移動した後、回転テーブル５ｇがさらに９０度回転し、再び断裁刃物機構が断裁位置に移動して断裁刃物５ａにより冊子１の小口部が断裁される。同様にして、断裁刃物機構が移動した後、回転テーブル５ｇが再び９０度回転し、断裁刃物機構が再度断裁位置に移動して断裁刃物５ａにより冊子１の天部が断裁される。
【００３５】
冊子１の断裁が完了すると、回転テーブル５ｇをさらに９０度回転させた後、ＣＰＵ７１は、冊子搬送部駆動機構９を制御して冊子１を他のチャックによりスタッカー６の位置まで搬送し、スタッカー６に積んだ（ステップ１１４）後、スタッカー駆動機構１２を制御して、スタッカー６を冊子１の厚み分だけ下降させる（ステップ１１１５）。この後、ＣＰＵ７１は、断裁する冊子が残っているか否かを判定し（ステップ１１６）、断裁する冊子が残っている場合、ステップ１０１に戻って、再びテーブルの上昇、バーコードの読取りを実行する。
【００３６】
上記のように、冊子１に印刷されたバーコードが表す識別コードに基づいてＲＯＭ７２から断裁寸法データを読み出し、この断裁寸法データに基づいて冊子の断裁位置が制御されるので、冊子に印刷されたバーコードにより機械が持つジョブデータの読み出しが可能となり、バーコードを短くできるとともに、パソコン８との接続ができない状態でも一冊一冊異なるサイズの断裁が可能となる。
【００３７】
また、制御部７が冊子１に印刷されたバーコードのデータ種別を判別し、データ参照先の切り替えを行うので、データの参照先の切り替えを手動で行うことなく、一冊一冊異なるサイズの断裁が可能となり、さらに、バーコード情報の内、断裁で使用するデータ領域を操作パネル８によって指定することができるので、他の用途に使用するためのバーコードに断裁用データを付加することが可能になり、断裁用にバーコードを専用で用意する必要がなくなる。
【００３８】
なお、上記の実施例の図７のフローチャートでは、冊子の断裁が終了した後、残りの冊子があるか否かを判定し、残っている場合に再びバーコードの読取り、冊子の供給を行うようにしたが、残りの冊子がある場合には、冊子がチャックによって搬送された後、直ちに次の冊子のバーコード読取り、冊子の取込みを行うようにしてもよい。
【００３９】
また、上記の実施例では、本発明の三方断裁機を、一枚の断裁刃物で冊子の三辺を仕上げる三方断裁機に適用した実施例について説明したが、本発明の三方断裁機は三枚の断裁刃物を備え、冊子の天地、小口を別々の刃物で断裁する三方断裁機にも適用することが可能である。
さらに、上記の実施例では、情報読取手段で読み取る情報としてバーコードを使用したが、２次元コード等の他の情報コードも使用することが可能である。
【符号の説明】
【００４０】
１  冊子
２  テーブル
３  バーコードリーダ
４  冊子搬送部
５  回転・断裁部
６  スタッカー
７  制御部
８  パソコン
９  冊子搬送部駆動機構
１０  回転・断裁部駆動機構
１１  テーブル駆動機構
１２  スタッカー駆動機構
１３  操作パネル
【図１】
2013018084.tif 000003
【図２】
2013018084.tif 000004
【図３】
2013018084.tif 000005
【図４】
2013018084.tif 000006
【図５】
2013018084.tif 000007
【図６】
2013018084.tif 000008
【図７】
2013018084.tif 000009